(57)【特許請求の範囲】
【請求項１】
上枠、下枠、および左右の縦枠からなる枠体にパネルを取り付けてなる複数のカーテンウォールユニットを上下方向および左右方向に隣接配置して構成するユニット式カーテンウォールの気密構造であって、
上下方向に隣接配置されて前記カーテンウォールの左右方向の端部を構成するカーテンウォールユニットの上枠には、上下に隣接する他のカーテンウォールユニットの下枠の凹部内面に密着するウインドバリア用のシール材と、このシール材の室外側に配置されたレインバリア用のシール材とが設けられているとともに、これらのシール材、および前記上枠、下枠で囲まれた等圧横空間の前記端部側には、当該等圧横空間を遮断する気密材が配置されているユニット式カーテンウォールの気密構造。
【請求項２】
請求項１に記載のユニット式カーテンウォールの気密構造において、前記気密材は、下方のカーテンウォールユニットの上枠に取り付けられる上枠側気密材と、上方のカーテンウォールユニットの下枠に取り付けられる下枠側気密材とで構成され、これらの上枠側気密材および下枠側気密材が上下のカーテンウォールユニットの設置と同時に互いに接合されるユニット式カーテンウォールの気密構造。
【請求項３】
請求項２に記載のユニット式カーテンウォールの気密構造において、前記上枠側気密材および下枠側気密材の互いに対向する接合部分には、前記左右方向に延びた溝部が設けられているユニット式カーテンウォールの気密構造。
【請求項４】
請求項１〜３のいずれかに記載のユニット式カーテンウォールの気密構造において、前記各シール材は前記上枠から上方に突出した立上片に設けられ、これらの立上片および前記各シール材の前記気密材側の端部は、上方から下方に向かうに従って前記端部側に近づくように傾斜しており、前記気密材にはそれらの傾斜したシール材および立上片の端部と接合される傾斜面が設けられているユニット式カーテンウォールの気密構造。
【請求項５】
請求項１〜４のいずれかに記載のユニット式カーテンウォールの気密構造において、前記端部側の縦枠は平坦な外側面を有し、この外側面にはパネル取り付け用のブラケットが設けられているユニット式カーテンウォールの気密構造。
【発明の詳細な説明】
【０００１】
【発明の属する技術分野】
本発明は、複数のカーテンウォールユニットで構成されるユニット式カーテンウォールの気密構造に係り、特にカーテンウォールの水平方向の端部における気密構造に関する。
【０００２】
【背景技術】
従来より、ビル等の建物の外壁をカーテンウォールとする場合、このカーテンウォールを複数のカーテンウォールユニットで構成することがある。カーテンウォールユニットは、四周枠組みされた枠体にガラス板や石材等の各種面材を取り付けてなり、工場や建築現場などで予め組み立てられた後、建物の各階に設けられた取り付け用のファスナに吊り込まれる。
【０００３】
図８には、そのような複数のカーテンウォールユニット（以下、ユニットという）８１で形成されたカーテンウォール８０の一部が簡略化して示されており、図９には、図８における矢印ＩＸ−ＩＸから見た縦断面図が示されている。
なお、図８では、各カーテンウォールユニット８１の枠体８２を示し、この枠体８２に取り付けられる面材の図示を省略した。
【０００４】
ユニット８１の枠体８２を形成している上枠８３には、室内外方向に間隔を空けて上方に突出しかつ長手方向に連続した二条の立上片８４が設けられ、これらの立上片８４に取り付けられたシール材８５が上方のユニット８１の下枠８６に設けられた各凹部８７の内面と密着している。そして、これらのシール材８５、および上枠８３、下枠８６で囲まれた空間は、室外側の立上片８４の水抜き開口（図示略）を介して外部と連通することにより、いわゆる外部と等しい圧力に保たれた等圧横空間８８とされ、水平な気密ラインを形成している。
【０００５】
また、同様な構造が左右に隣接配置された各ユニット８１の互いに近接対向する縦枠９１，９２（図８）にも適用されている。つまり、一方の縦枠９１には他方の縦枠９２側に突出しかつ長手方向に連続した二条の突片（図示略）が設けられ、これらの突片に取り付けられたシール材が他方の縦枠９２の凹部の内面と密着し、これらのシール材、および各縦枠９１，９２で囲まれた空間が前記等圧横空間８８と連通した等圧縦空間とされ、鉛直な気密ラインを形成している。
【０００６】
以上のような気密構造を有するカーテンウォール８０では、仮に雨水等が等圧縦空間内に入り込んでも、雨水は等圧縦空間内を伝って落下した後に等圧横空間８８内に流れ込み、前述した水抜き開口から外部に排水されるため、室内側に漏れることはない。
【０００７】
一方、ユニット８１のうち、カーテンウォール８０の左右方向の端部を構成するユニット８１Ａでは、左右方向に隣接するユニット８１が一方側にしかなく、他方側すなわち縦枠９２側に隣接するユニットが存在しない。このため、縦枠９２側には上下方向に通しの捨て枠９３（図８）を例えば建物の躯体に沿って立設し、この捨て枠９３に縦枠９１と同様な突片およびシール材を設けることにより、縦枠９２との間に同様な等圧縦空間を設けて鉛直な気密ラインを形成している。
【０００８】
【発明が解決しようとする課題】
ところで、捨て枠９３を設けることは、型代、材料費、および施工に手間がかかる等の理由で施工費が大幅にアップするため、そのような捨て枠９３を省くことが望まれている。
しかしながら、捨て枠９３を省くと、その部分の鉛直な気密ラインを形成している等圧縦空間がなくなるから、等圧横空間は等圧縦空間が設けられていない側の端部で開口してしまう。従って、等圧横空間（水平な気密ライン）の気密性が維持されず、等圧横空間内に入り込んだ雨水等が室内側に漏れるおそれがある。
【０００９】
本発明の目的は、従来の捨て枠を省いてコストを削減でき、かつ等圧横空間内の気密を確実に維持できるユニット式カーテンウォールの気密構造を提供することにある。
【００１０】
【課題を解決するための手段】
本発明のユニット式カーテンウォールの気密構造は、上枠、下枠、および左右の縦枠からなる枠体にパネルを取り付けてなる複数のカーテンウォールユニットを上下方向および左右方向に隣接配置して構成するユニット式カーテンウォールの気密構造であって、上下方向に隣接配置されて前記カーテンウォールの左右方向の端部を構成するカーテンウォールユニットの上枠には、上下に隣接する他のカーテンウォールユニットの下枠の凹部内面に密着するウインドバリア用のシール材と、このシール材の室外側に配置されたレインバリア用のシール材とを設けるとともに、これらのシール材、および前記上枠、下枠で囲まれた等圧横空間の前記端部側には、当該等圧横空間を遮断する気密材を配置することを特徴とするものである。
ここで、「遮断する」とは、等圧横空間を完全に遮断する場合に加え、等圧横空間から雨水等が漏れない程度に遮断する場合も含む。
【００１１】
このような本発明においては、等圧横空間の前記端部側を気密材で遮断するから、その空間の気密が良好に維持される。このため、等圧横空間の端部側から雨水等が漏れる心配がなくなるので、捨て枠を設けなくともよくなり、コストの大幅削減も可能になる。以上により、前記目的が達成される。
なお、各ユニットの縦枠と例えば躯体との間の止水処理は、従来行っていた捨て枠と躯体との止水処理と同じように、湿式のシール材を充填するなどして行えばよい。
【００１２】
このような本発明のユニット式カーテンウォールの気密構造では、気密材を下方のカーテンウォールユニットの上枠に取り付けられる上枠側気密材と、上方のカーテンウォールユニットの下枠に取り付けられる下枠側気密材とで構成し、これらの上枠側気密材および下枠側気密材を上下のカーテンウォールユニットの設置と同時に互いに接合させてもよい。
【００１３】
この場合、上枠側気密材および下枠側気密材の互いに対向する接合部分には左右方向に延びた溝部を設けることが望ましい。
上枠側気密材および下枠側気密材を重ねて接合すると、それらの材質や接合面の面積、あるいは加わる加重の大きさによっては、各接合面内にばらならの向きの力が生じてそれらの接合面にしわが寄ることがある。そして、このしわが等圧横空間と室内とを連通させるように生じた場合には、毛細管現象によって雨水等が室内に漏れ出す可能性がある。従って、上枠側気密材および下枠側気密材に予め溝部を設けることで、各接合面内ではその溝部側へ向かって一方向に力が生じるようになるため、しわの発生が抑制されて気密性がより確実に維持される。
【００１４】
さらに、各シール材を上枠から上方に突出した立上片に設け、これらの立上片および各シール材の気密材側の端部を上方から下方に向かうに従って前記端部側に近づくように傾斜させ、気密材にはそれらの傾斜したシール材および立上片の端部と接合される傾斜面を設けることが望ましい。
また、前記端部側の縦枠の外側面を平坦に設け、この外側面にパネル取り付け用のブラケットを設けてもよい。
【００１５】
【発明の実施の形態】
以下、本発明の一実施形態を図面に基づいて説明する。
図１は、本実施形態に係る気密構造が適用されたカーテンウォール１の一部を簡略化して示す正面図、図２は、図１における矢印ＩＩ−ＩＩから見た縦断面図、図３は、矢印ＩＩＩ−ＩＩＩから見た横断面図、図４は、カーテンウォール１の要部を室内側から見た図である。
【００１６】
カーテンウォール１は、複数のカーテンウォールユニット（以下、ユニットという）１０を上下方向および左右方向に隣接配置して構成されており、ユニット１０は、アルミの押出形材からなる上枠１２、下枠１３、および左右の縦枠１４，１５を四周枠組みして組み立てられた枠体１１と、枠体１１の外側に取り付けられた石材からなるパネル１６とを備えている。
ここで、図１においては、各ユニット１０の枠体１１のみを図示し、パネル１６等の図示を省略した。また、各ユニット１０のうち、水平方向の端部に配置されたユニット１０Ａ以外のユニット１０は従来のユニットと同じであるため、ここでの説明を省略するとともに、以下にはユニット１０Ａについて詳説する。
【００１７】
ユニット１０Ａの枠体１１を構成する上枠１２には、上方に突出しかつ上枠１２の長手方向に沿って連続した二条の立上片１７，１８が室内外方向に間隔を空けて設けられており、各立上片１７，１８の上端における室外側には乾式のシール材１９，２１が設けられている。このような上枠１２は、各縦枠１４，１５に対して鉛直なビスによって接合されている。
【００１８】
下枠１３には、下方に向かって開口した二条の凹部２２，２３が室内外方向に間隔を空けて設けられており、これら凹部２２，２３の室外側の鉛直な内面２２Ａ，２３Ａ（図５）に前述した上枠１２の各シール材１９，２１が密着している。このような下枠１３は、左右の縦枠１４，１５を貫通する水平なビスでそれらの縦枠１４，１５と接合されている。
【００１９】
縦枠１４は、断面形状が略矩形とされた中空状に設けられ、平坦な外側面１４Ａ（図３）を有している。外側面１４Ａにはブラケット２４がビス止めされており、ブラケット２４にはパネル１６と直角をなす他のパネル２５が載置されている。すなわち、これらのパネル１６，２５によってカーテンウォール１の出隅部分の壁面が形成されている。
【００２０】
縦枠１４の室内側には、これよりもさらに室内側に配置される別のユニット（図３にて二点鎖線で図示）との間のシールを行う中空のシール材２６が取り付けられ、このシール材２６の上下端が後述する気密材４０の室内側の突出部分に接着剤等で接合されている。
【００２１】
縦枠１５（図１）は、左右に隣接するユニット１０の縦枠１４の凹部に密着するシール材を備えたものであり、従来と同様な構造を有するものである。
【００２２】
これらの枠材１２〜１５で構成された枠体１１内には、耐火ボード１１Ａおよびその外側に止水板１１Ｂが設けられ、パネル１６を枠体１１の外側に取り付けた場合の防火性や止水性が考慮されている。
【００２３】
パネル１６は、上枠１２および下枠１３に固定されたブラケット２７Ａ，２７Ｂに支持されており、図３に示すように、縦枠１４との間およびパネル２５との間がバックアップ材２８および湿式のシール材２９でシールされている。
また、同様なバックアップ材２８および湿式のシール材２９によってパネル２５と縦枠１４との間もシールされており、上下のパネル２５間がシール材２９と連続するＬ字形のジョイント部材３１（図４）でシールされている。
【００２４】
以上のようなユニット１０Ａにおいて、上下に近接対向する上枠１２および下枠１３間では、上枠１２の室内側のシール材１９でウインドバリアが形成され、室外側のシール材２１でレインバリアが形成され、これら上枠１２、下枠１３、および各シール材１９，２１で囲まれた等圧横空間３２が従来と同様に形成されている。
また、ユニット１０Ａの縦枠１５およびこれに近接対向するユニット１０の縦枠１４間でも、ウインドバリアおよびレインバリアで仕切られた等圧縦空間（図示略）が従来と同様に形成されている。
そして、この等圧縦空間の下端と等圧横空間３２の端部とは互いに連通しており、等圧縦空間内に入り込んだ雨水等が等圧横空間３２内に導かれた後、立上片１８に設けられた開口部（図示略）から建物外へ排水されるようになっている。
【００２５】
これに対し、等圧横空間３２の他方側の端部（等圧縦空間が形成されていない側の端部）は気密材４０で塞がれており、雨水等がその端部から漏れるのを防いでいる。
気密材４０は、上枠１２の端部に取り付けられる上枠側気密材４１と、下枠１３の端部に取り付けられる下枠側気密材４２とで構成され、図５〜７にも示すように、上下の各ユニット１０Ａを配置すると同時に各気密材４１，４２が平坦な接合面４１Ａ，４２Ａを介して接合されるようになっている。
【００２６】
上枠側気密材４１は、立上片１７，１８の端部を切削することで残された基端部１７Ａ，１８Ａ（図５）との干渉を避けるためのスリット４３、４４（図７）を備えているとともに、その切削によって形成された立上片１７，１８の傾斜端部１７Ｂ，１８Ｂ（図５）と当接する傾斜面４５（図７）を備えている。また、上枠側気密材４１の接合面４１Ａには左右方向に貫通した溝部４６が設けられている。
【００２７】
下枠側気密材４２は、凹部２２，２３（図５）やビスホール部との干渉を避けるためのスリット４７，４８，４９、段差部５１，５２，５３（図６）を備えているとともに、上枠側気密材４１に重ねられた際に立上片１７，１８の傾斜端部１７Ｂ，１８Ｂおよびシール材１９，２１の同様な傾斜端部と当接する傾斜面５４を備え、この傾斜面５４が上枠側気密材４１の傾斜面４５と連続するようになっている。また、下枠側気密材４２には凹部２２，２３内に配置されて立上片１７，１８の上端と当接する延出部５５，５６が設けられており、この当接によって気密性をより向上させている。さらに、下枠側気密材４２の接合面４２Ａにも左右方向に貫通した溝部５７が設けられている。
【００２８】
各気密材４１，４２の溝部４６，５７は、上枠側気密材４１および下枠側気密材４２とを接合した時に、各接合面４１Ａ，４２Ａにしわが寄るのを防止して毛細管現象の発生を防ぐものであり、接合した後には、図２に示すように、内側に変形して完全につぶれた状態となってその形状をとどめていない。このため、雨水等が各溝部４６，５７自身を通ってパネル２５側へ漏れる心配もない。
【００２９】
このような本実施形態においては、工場等でユニット１０Ａを組み立てる際に、上枠１２に予め上枠側気密材４１を取り付けておき、下枠１３に予め下枠側気密材４２を取り付けておく。
そして、施工現場において、ユニット１０Ａを上下に吊り込むことにより、各気密材４１，４２を接合させて等圧横空間３２の一端側を塞ぎ、雨水等が等圧横空間３２の端部からから室内側に漏れるのを防止する。
【００３０】
このような本実施形態によれば、以下のような効果がある。
▲１▼  カーテンウォール１の上下のユニット１０Ａ間に形成された等圧横空間３２において、等圧縦空間と連通していない端部側が気密材４０で塞がれているため、等圧横空間３２の気密を良好に維持することができる。従って、ユニット１０Ａの外側に従来のような捨て枠を設けなくとも等圧横空間３２の端部から室内側に雨水等が漏れるを防止でき、捨て枠を省いてコストを大幅に削減できる。
【００３１】
▲２▼  気密材４０が上枠側気密材４１と下枠側気密材４２とで構成されているので、それらを予め上枠１２、下枠１３に取り付けておくことにより、施工現場ではユニット１０Ａの吊り込みと同時に互いを平坦な接合面４１Ａ，４２Ａを介して容易に接合でき、気密材４０に設けられた各スリット４３，４４，４７，４８，４９への基端部１７Ａ，１８Ａや凹部２３，２４の入れ込みを損じる心配がない。
【００３２】
▲３▼  立上片１７，１８およびシール材１９，２１の端部は下方に向かうに従ってパネル２５側に位置するような傾斜端部１７Ｂ，１８Ｂ，１９Ａ，２１Ａとされ、気密材４０にもそれらに対向した傾斜面４５，５４が設けられているから、上下のユニット１０Ａを配置した際には、気密材４０が受ける垂直荷重で傾斜面４５，５４を立上片１７，１８の傾斜端部１７Ｂ，１８Ｂや、シール材１９，２１の同様な傾斜端部に確実に密着させることができ、等圧横空間３２の気密性を格段に向上させることができる。
【００３３】
▲４▼  気密材４０の各スリット４３，４４，４７，４８，４９および段差部５１，５２，５３によって、基端部１７Ａ，１８Ａ、凹部２３，２４、およびビスホールとの干渉を避けることができるうえ、それらに対して確実に密着させることができ、この点からも等圧横空間３２の気密性を向上させることができる。
さらに、気密材４０の下枠側気密材４２には延出部５５，５６が設けられているので、立上片１７，１８の端部において、その上端を延出部５５，５６の下面に当接させることでも気密性を向上させることができる。
【００３４】
▲５▼  気密材４０の上枠側気密材４１および下枠側気密材４２では、それらの接合面４１Ａ，４２Ａに溝部４６，４７が設けられているため、各気密材４１，４２の接合時において、各接合面４１Ａ，４２Ａ内に生じる力の方向を溝部４６，４７側へ向かって一方向（溝部４６，４７がつぶれる方向）にできる。従って、気密材４０を二部材で構成した場合でも、各接合面４１Ａ，４２Ａ内に等圧横空間３２と室内空間とを連通させるようなしわが寄る心配がないから、そのようなしわによる毛細管現象を防止でき、、等圧横空間３２から室内側へ雨水等が漏れるのを一層確実に防止できる。
【００３５】
▲６▼  ユニット１０Ａの外側には従来のような捨て枠がないため、縦枠１４の外側面１４Ａを平坦に設けて単純な形状のブラケット２４をビス止めでき、パネル２５を容易に支持することができる。従って、そのパネル２５とユニット１０Ａの正面側のパネル１６によって簡単に出隅部分の壁面を形成できる。
【００３６】
なお、本発明は、前記実施形態に限定されるものではない。
例えば、前記実施形態では、ユニット１０Ａの縦枠１４に取り付けられたパネル２５によって出隅が形成されていたが、縦枠１４の外側にコンクリート打ちされた外壁を設けて出隅や入隅部分の壁面を形成したり、あるいは正面のパネル１６と面一な壁面を形成してもよい。
【００３７】
ユニット１０に設けられるパネルとしては、前記実施形態のような石材でなくともよく、通常一般的に用いられるガラス板等であってもよい。そして、パネルの支持構造も任意であり、ブラケットを用いる他、枠体の各枠材にパネル保持部を設けてはめ込んだり、押縁等を用いて枠体に取り付けてもよい。
【００３８】
また、上枠側気密材および下枠側気密材の各接合面に設けられる溝部は、前記実施形態のように両端が連通したものに限定されず、両端あるいは一端が閉じた形状のものであってもよく、要するに接合面にしわが寄らない形状に設けられればよい。
【００３９】
枠体を構成する各枠材の断面形状も任意であり、上枠の立上片、下枠の凹部、縦枠の外側面等の具体的な断面形状等は、その実施に当たって適宜に決められてよい。
さらに、本発明に係る気密材の形状も任意であり、本発明の目的を達成できる範囲で任意に決められてよい。
【００４０】
【発明の効果】
以上に述べたように、本発明のユニット式カーテンウォールの気密構造によれば、従来の捨て枠を省いてコストを削減でき、かつ等圧横空間内の気密を確実に維持できるという効果がある。
【図面の簡単な説明】
【図１】本発明の一実施形態に係る気密構造が適用されたカーテンウォールの一部を簡略化して示す正面図である。
【図２】図１における矢印ＩＩ−ＩＩから見た縦断面図である。
【図３】図１における矢印ＩＩＩ−ＩＩＩから見た横断面図である。
【図４】前記カーテンウォールの要部を室内側から見た図である。
【図５】前記カーテンウォールの要部を示す分解斜視図である。
【図６】前記カーテンウォールの構成部材を示す全体斜視図である。
【図７】前記カーテンウォールの他の構成部材を示す全体斜視図である。
【図８】本発明の従来技術を簡略化して示す正面図である。
【図９】図８における矢印ＩＸ−ＩＸから見た縦断面図である。
【符号の説明】
１…カーテンウォール、１０Ａ…カーテンウォールユニット、１１…枠体、１２…上枠、１３…下枠、１４…縦枠、１４Ａ…外側面、１６，２５…パネル、１７，１８…立上片、１９，２１…シール材、２３，２４…凹部、３２…等圧横空間、４０…気密材、４１…上枠側気密材、４２…下枠側気密材、４５，５４…傾斜面、４６，４７…溝部。
【図１】
0003628172.tif 000002
【図２】
0003628172.tif 000003
【図３】
0003628172.tif 000004
【図４】
0003628172.tif 000005
【図５】
0003628172.tif 000006
【図６】
0003628172.tif 000007
【図７】
0003628172.tif 000008
【図８】
0003628172.tif 000009
【図９】
0003628172.tif 000010